(57)【要約】【課題】パーキング時の動きを防止することができる手押し床洗浄機を提供する。【解決手段】車輪２，３，４が設けられ走行可能な機体フレーム１に備えたモータ５により洗浄体６を回転させ床面を洗浄する手押し床洗浄機において、パーキング時の動きを規制するパーキングブレーキ７を備えた。【選択図】  図１
2004236934.tif 000002
【特許請求の範囲】
【請求項１】
車輪が設けられ走行可能な機体フレームに備えたモータにより洗浄体を回転させ床面を洗浄する手押し床洗浄機において、パーキング時の動きを規制するパーキングブレーキを備えたことを特徴とする手押し床洗浄機。
【請求項２】
前記パーキングブレーキは、機体フレームの走行方向の両側に存在する前記車輪の一方にのみブレーキをかけるようになっていることを特徴とする請求項１に記載の手押し床洗浄機。
【請求項３】
前記パーキングブレーキは、前記機体フレームに中程を上下方向に回転自在に軸支され一端側を操作部とし他端側を出力部とした操作アームと、同じく前記機体フレームに一端部を回転自在に軸支され回動して前記車輪に接離するブレーキアームと、一端側が前記操作アームの出力部に他端側が前記ブレーキアームに回転自在に軸着され前記操作アームの回動をブレーキアームに伝達して回動させるリンクアームとで構成されていることを特徴とする請求項１又は２に記載の手押し床洗浄機。
【発明の詳細な説明】
【０００１】
【発明の属する技術分野】
本発明は、床面を洗浄する手押し床洗浄掃機に関するものである。
【０００２】
【従来の技術】
床を洗浄する洗浄機として、一般に車輪が設けられ走行可能な機体フレームに備えたモータにより洗浄体を回転させ床面を洗浄する手押し床洗浄機が知られている（特許文献１参照）。
【０００３】
この種の手押し床洗浄機は、一般にパーキング時の動きを規制するパーキングブレーキが備えられていない。それは、洗浄する床面が一般に水平面であり傾斜しておらず、ブレーキをかけなくても動いてしまうおそれが殆ど無いといったことによる。しかし、建造物の多様化により、床面も必ずしも水平面とは限らず、特に通路には傾斜が付いている場合があり、また駅のホームでは、床面が水はけのために線路側に僅かに傾斜している。このような場合、手押し床洗浄機の動きを防止するために、例えば、車輪に適当な車輪止めを当てるといったことが行われている。
【０００４】
【特許文献１】
実開平７−９２４５号公報
【０００５】
【発明が解決しようとする課題】
上記の手押し床洗浄機によれば、パーキングブレーキが備えられていないため、床面が傾斜しているような場合、停車しておいた洗浄機が動き出してしまい、思わぬ事故を引き起こすことも考えられることから、手押し床洗浄機の動きを防止するために、十分に注意しなければならず、また、そのためには、例えば、適当な車輪止め等を用意しておかなければならない、といった煩わしさがあるといった問題があった。
【０００６】
本発明の目的は、パーキング時の動きを防止することができる手押し床洗浄機を提供することにある。
【０００７】
【課題を解決するための手段】
上記の目的を達成するために、請求項１に記載の発明は、車輪が設けられ走行可能な機体フレームに備えたモータにより洗浄体を回転させ床面を洗浄する手押し床洗浄機において、パーキング時の動きを規制するパーキングブレーキを備えたことを特徴とする。
【０００８】
このように構成することにより、パーキング時にパーキングブレーキをかけておくことにより、パーキング時の動きを防止することができ、安全性が図れるとともに、適当な車輪止め等を用意しておかなければならない、といった煩わしさから解放される。
【０００９】
請求項２に記載の発明は、請求項１に記載の、前記パーキングブレーキは、機体フレームの走行方向の両側に存在する前記車輪の一方にのみブレーキをかけるようになっていることを特徴とする。
【００１０】
このように構成することにより、仮に床面が急斜面で洗浄機が動き出したとき、洗浄機はパーキングブレーキがかかっている車輪を支点として回動し、傾斜方向に対して、概ね直交する方向に向きを変えることになる。この結果、車輪が傾斜方向と概ね直交する方向に向くことになり、車輪の回転方向と傾斜方向が交差し、パーキングブレーキの力だけではなく、車輪の回転方向と傾斜方向の交差による抵抗により、洗浄機の傾斜方向への移動が確実に防止できる。
【００１１】
請求項３に記載の発明は、請求項１又は２に記載の、前記パーキングブレーキは、前記機体フレームに中程を上下方向に回転自在に軸支され一端側を操作部とし他端側を出力部とした操作アームと、同じく前記機体フレームに一端部を回転自在に軸支され回動して前記車輪に接離するブレーキアームと、一端側が前記操作アームの出力部に他端側が前記ブレーキアームに回転自在に軸着され前記操作アームの回動をブレーキアームに伝達して回動させるリンクアームとで構成されていることを特徴とする。
【００１２】
このように構成したので、操作アームの操作部を足或いは手で操作して回動させることにより、ブレーキアームをかけることができ、またブレーキ操作が簡単であり、更には、構成が簡単なので製造が容易である。
【００１３】
【発明の実施の形態】
図１乃至図３は本発明に係る床洗浄機の実施の形態の一例を示したもので、図１は本例の床洗浄機の一部を破断して示した一部省略側面図、図２は本例で用いているパーキングブレーキを示す拡大側面図、図３はパーキングブレーキと、これにより制動される車輪とを示す説明図である。
【００１４】
図面において、１は機体フレーム、２は機体フレーム１の前側に設けられた車輪であり、向きを自由に変えることができるようになっている。３，４は機体フレーム１の後ろ側の走行方向の両側に設けられた車輪であり、その向きは走行方向に向いて一定である。５は機体フレーム１に備えたモータ、６はモータ５の駆動により回転し床面を洗浄する洗浄体であり、パットやブラシ等で構成されている。
【００１５】
７は前記機体フレーム１に備えられたパーキングブレーキである。このパーキングブレーキ７は、本例では、機体フレーム１の走行方向の両側に設けられている前記車輪３，４の一方の車輪３にのみブレーキをかけるようになっている（図３）。
【００１６】
前記パーキングブレーキ７としては、本例ではリンク機構を利用しており、前記機体フレーム１に中程を軸８により上下方向に回転自在に軸支され一端側を操作部９とし他端側を出力部１０とした操作アーム１１と、同じく前記機体フレーム１に一端部を軸１２より上下方向に回転自在に軸支され回動して前記車輪３に接離するブレーキアーム１３と、一端側が前記操作アーム１１の出力部１０に軸１４により回転自在に軸着され他端側が前記ブレーキアーム１３に軸１５により回転自在に軸着され前記操作アーム１１の回動をブレーキアーム１３に伝達して回動させるリンクアーム１６とで構成されている。
【００１７】
そして、その動作を図２により説明すると、操作アーム１１の操作部９を上方へ回動させると、軸８を支点として出力部１０が下方へ回動し、この出力部１０の下方への回動によりリンクアーム１６が図上右方向に引かれて移動し、このリンクアーム１６の移動により、前記ブレーキアーム１３が軸１５を支点として車輪３から離反する方向（図上右方向）へ回動し、車輪３から離反するようになっている。
【００１８】
また、前記操作アーム１１の操作部９を下方へ回動させると、軸８を支点として出力部１０が上方へ回動し、この出力部１０の上方への回動によりリンクアーム１６が図上左方向に押し出されて移動し、このリンクアーム１６の移動により、前記ブレーキアーム１３が軸１５を支点として車輪３に接近する方向（図上右方向）へ回動し、車輪３に圧接するようになっている。
【００１９】
前記機体フレーム１には、前記操作アーム１１の出力部１０が上方へ回動し、ブレーキアーム１３が車輪３に圧接しブレーキをかけた状態で、出力部１０の上辺に当接し、出力部１０のそれ以上の上方への回動を阻止するストッパー１７が設けられている。
【００２０】
更に、機体フレーム１には、前記操作アーム１１の出力部１０が下方へ回動し、ブレーキアーム１３が車輪３から離反した状態で、出力部１０の上辺に当接し、出力部１０の上方への回動を阻止する疑似ストッパー１８が設けられている。この疑似ストッパー１８は、スプリング（図示せず）で付勢されて前進し機体フレーム１から突出しており、出力部１０の上方移動による強い力を受けたとき、スプリングの付勢力に抗して後退し、出力部１０の上方への回動を許容するようになっている。
【００２１】
このように構成された手押し床洗浄機によれば、パーキング時に前記操作アーム１１の操作部９を、例えば、足で踏んで下方へ回動させると、軸８を支点として出力部１０が上方へ回動し、この出力部１０の上方への回動によりリンクアーム１６が図上左方向に押し出されて移動し、このリンクアーム１６の移動により、前記ブレーキアーム１３が軸１５を支点として車輪３に接近する方向（図上右方向）へ回動し、車輪３に圧接し、確実にブレーキがかかる。
【００２２】
そして、仮に床面が急斜面で手押し床洗浄機が動き出したとき、手押し床洗浄機はパーキングブレーキ７がかかっている車輪３を支点として回動し、傾斜方向に対して、概ね直交する方向に向きを変えることになる（図４）。この結果、車輪３，４が傾斜方向と概ね直交する方向に向くことになり、車輪３，４の回転方向と傾斜方向が交差し、パーキングブレーキ７の力だけではなく、車輪３，４の回転方向と傾斜方向の交差による抵抗により、手押し床洗浄機の傾斜方向への移動が確実に防止できる。
【００２３】
【発明の効果】
以上のように本発明に係る手押し床洗浄機によれば、パーキング時の動きを規制するパーキングブレーキを備えたので、パーキング時にパーキングブレーキをかけておくことにより、パーキング時の動きを防止することができ、安全性が図れるとともに、適当な車輪止め等を用意しておかなければならない、といった煩わしさから解放される。
【００２４】
また、前記パーキングブレーキは、機体フレームの走行方向の両側に存在する前記車輪の一方にのみブレーキをかけるようになっているので、仮に床面が急斜面で手押し床洗浄機が動き出したとき、手押し床洗浄機はパーキングブレーキがかかっている車輪を支点として回動し、傾斜方向に対して、概ね直交する方向に向きを変えることになり、この結果、車輪が傾斜方向と概ね直交する方向に向き、車輪の回転方向と傾斜方向が交差し、パーキングブレーキの力だけではなく、車輪の回転方向と傾斜方向の交差による抵抗により、手押し床洗浄機の傾斜方向への移動を確実に防止することができる。
【００２５】
また、前記パーキングブレーキは、前記機体フレームに中程を上下方向に回転自在に軸支され一端側を操作部とし他端側を出力部とした操作アームと、同じく前記機体フレームに一端部を回転自在に軸支され回動して前記車輪に接離するブレーキアームと、一端側が前記操作アームの出力部に他端側が前記ブレーキアームに回転自在に軸着され前記操作アームの回動をブレーキアームに伝達して回動させるリンクアームとで構成されているので、操作アームの操作部を足或いは手で操作して回動させることにより、ブレーキアームをかけることができ、またブレーキ操作が簡単であり、更には、構成が簡単なので製造が容易である。
【図面の簡単な説明】
【図１】本発明に係る手押し床洗浄掃機の実施の形態の一例で一部を破断して示した側面図である。
【図２】本例で用いているパーキングブレーキを示す拡大側面図である。
【図３】パーキングブレーキと、これにより制動される車輪とを示す説明図である。
【図４】パーキングブレーキをかけた車輪を支点に手押し床洗浄掃機が回動した状態を示す説明図である。
【符号の説明】
１  機体フレーム
２，３，４  車輪
５  モータ
６  洗浄体
７  パーキングブレーキ
８  軸
９  操作部
１０  出力部
１１  操作アーム
１２  軸
１３  ブレーキアーム
１４，１５  軸
１６  リンクアーム
１７  ストッパー
１８  疑似ストッパー
【図１】
2004236934.tif 000003
【図２】
2004236934.tif 000004
【図３】
2004236934.tif 000005
【図４】
2004236934.tif 000006